(57)【要約】【課題】ねじ止め作業等を行うことなく、各部材を簡単かつ確実に組み付けることができ、しかも組付後に、中筒が外れることがないようにした、椅子における肘掛けの高さ調節装置を提供する。【解決手段】座の側方より起立する肘掛支持筒１１に内嵌した中筒１２に、上下多段状の複数の係合部２５ｂを設け、この係合部２５ｂに、中筒１２に内嵌した、肘掛けを支持する肘掛支持杆１４より突出し、かつ肘掛支持杆１４に設けた操作レバー２１により前後移動させられるようにした係合ピン２４が選択的に係脱しうるようにし、かつ中筒１２の下端に下向きに突設した弾性係止爪１８を、肘掛支持筒１１の下端を閉塞する底壁に設けた係合孔に嵌合係止することにより、中筒１２を肘掛支持筒１１より抜け止めする。【選択図】      図５
2008194229.tif 000002
【特許請求の範囲】
【請求項１】
座の側方より起立する肘掛支持筒の上端より、肘掛けを支持する肘掛支持杆を、上下方向に摺動可能として嵌合し、前記肘掛支持杆に設けた操作レバーの操作により、肘掛支持杆の側面より突出する係合ピンを前後動させて、肘掛支持筒側に上下多段状に設けた複数の係合部に選択的に係脱させるようにした椅子における肘掛けの高さ調節装置において、
前記肘掛支持筒に内嵌した中筒に、前記上下多段状の複数の係合部を設け、この係合部に、前記中筒に内嵌した肘掛支持杆より突出する係合ピンが選択的に係脱しうるようにし、かつ前記中筒の下端に下向きに突設した弾性係止爪を、肘掛支持筒の下端を閉塞する底壁に設けた係合孔に嵌合係止することにより、前記中筒を肘掛支持筒より抜け止めしたことを特徴とする椅子における肘掛けの高さ調節装置。
【請求項２】
肘掛支持筒の底壁における係合孔に、弾性係止爪の背面に当接して、弾性係止爪の係合孔から外れる方向への弾性撓曲を阻止する差し込み片を嵌合した請求項１記載の椅子における肘掛けの高さ調節装置。
【請求項３】
差し込み片を、肘掛支持筒の底壁の下面を覆う下部カバーの上面に突設した請求項２記載の椅子における肘掛けの高さ調節装置。
【請求項４】
中筒を、ほぼ半円弧状断面の２個の半割片を向き合わせて接合することにより形成するとともに、各半割片の下端両側部より垂下する弾性係止爪の側面同士を互いに突き合わせて、同一の係合孔に嵌合係止させた請求項１〜３のいずれかに記載の椅子における肘掛けの高さ調節装置。
【請求項５】
各半割片に、上下多段状の複数の係合部をそれぞれ対向するように設け、肘掛支持杆を貫通する係合ピンの各端部が、対応する半割片の複数の係合部に選択的に係脱するようにした請求項４記載の椅子における肘掛けの高さ調節装置。
【請求項６】
筒状とした肘掛支持杆の上部に、前部に肘掛支持杆より前方に突出する操作部を有する操作レバーの中間部を枢支するとともに、前記肘掛支持杆内に、中間部に前記肘掛支持杆の前後の内面に内接する膨出部を有し、かつ下端部に、左右方向を向くピン挿入孔が設けられた回動レバーを、前記膨出部を中心として回動可能として嵌合し、前記操作レバーの後端部と回動レバーの上端部とのいずれか一方に、回動レバーを肘掛支持杆の下端より上方に向けて押し入れたとき、前記いずれか他方の部分を受け入れて係合する係合凹部を設け、前記ピン挿入孔に挿入した係合ピンを、前記肘掛支持杆の側面に設けた前後方向の長孔を貫通させて、側方に突出させ、前記係合ピンの端部を、中筒に設けた上下多段状の複数の係合部に選択的に係脱しうるようにし、かつ前記回動レバーを、前記係合ピンがいずれかの係合部に係合する方向に向けて付勢する付勢手段を設けた、請求項１〜５のいずれかに記載の椅子における肘掛けの高さ調節装置。
【請求項７】
操作レバーの中間部に突設した左右方向を向く軸を、肘掛支持杆の上部に設けた上方に開口する凹部に嵌合し、かつ操作レバーの中間部の上面に、肘掛支持杆の上端開口部を閉塞する閉塞部材の下面を当接させることにより、前記軸を、凹部より抜け止めした請求項６記載の椅子における肘掛けの高さ調節装置。
【請求項８】
付勢手段を、回動レバーの一部に連設され、かつ先端部が肘掛支持杆の内面に圧接するようにした弾性舌片とした請求項１〜７のいずれかに記載の椅子における肘掛けの高さ調節装置。
【発明の詳細な説明】
【技術分野】
【０００１】
本発明は、肘掛けの高さを簡単な操作により、段階的に調整し得るようにした椅子における肘掛けの高さ調節装置に関する。
【背景技術】
【０００２】
高級仕様の事務用椅子には、座板の高さ調整機構や、背板のリクライニング機構を備えるほか、肘掛けの高さを調節可能とした肘掛装置を設けたものがある。
【０００３】
この種の肘掛装置の従来例として、例えば下記特許文献１に記載されているようなものがある。
【０００４】
このものは、座の側方より起立する筒状の肘掛け支柱の上端より、肘当てを支持する肘当て支持杆を、上下方向に摺動可能として嵌合し、肘当て支持杆の上部に前後方向に進退自在に設けた操作ノブの押動操作により、肘当て支持杆内に中間部を支点として回動可能に設けた操作杆の上部を後方に押動し、それによって、操作杆の下部に設けた係合ピンを前方に移動し、肘掛け支柱の内面に嵌合したガイドスリーブの両側面に設けた上下方向を向くガイド孔後縁に上下多段状に設けた係止溝のいずれかに係合していた上記係合ピンを、その係合溝から離脱させ、その状態で、肘当ておよび肘当て支持杆を所望の高さに移動させた後、操作ノブから手を離すと、肘当て支持杆内に設けた付勢手段の付勢力により、上記係合ピンが後方に移動させられ、いずれかの係合溝に係合するようになっている。
【０００５】
また、上記ガイドスリーブは、ほぼ半円弧状断面の２個の半割片を向き合わせて接合した状態で、各半割片の上端に設けた外向き鍔部が、肘掛け支柱の上端に当接するまで、肘掛け支柱内に圧嵌されている。
【特許文献１】特開２００５−１８５６２９号公報
【発明の開示】
【発明が解決しようとする課題】
【０００６】
しかし、特許文献１のものにおいては、２分割構造としたガイドスリーブは、両半割片を向き合わせて接合した状態で、各半割片の上端に設けた外向き鍔部が、肘掛け支柱の上端に当接するまで、肘掛け支柱内に圧嵌してあるだけであるので、肘当てを引き上げる際等に、肘掛け支柱から上方に抜け外れるおそれがある。
これを防止するため、ガイドスリーブを肘掛け支柱にねじ止めすることが考えられるが、それによると、ねじの頭部が外部に露呈し、体裁が悪くなるとともに、ねじ止め作業が煩雑になり、組付作業性が悪くなる。
【０００７】
本発明は、従来の技術が有する上記のような問題点に鑑み、ねじ止め作業等を行うことなく、各部材を簡単かつ確実に組み付けることができ、しかも組付後に、中筒が外れることがないようにした、椅子における肘掛けの高さ調節装置を提供することを目的としている。
【課題を解決するための手段】
【０００８】
本発明によると、上記課題は次のようにして解決される。
（１）座の側方より起立する肘掛支持筒の上端より、肘掛けを支持する肘掛支持杆を、上下方向に摺動可能として嵌合し、前記肘掛支持杆に設けた操作レバーの操作により、肘掛支持杆の側面より突出する係合ピンを前後動させて、肘掛支持筒側に上下多段状に設けた複数の係合部に選択的に係脱させるようにした椅子における肘掛けの高さ調節装置において、前記肘掛支持筒に内嵌した中筒に、前記上下多段状の複数の係合部を設け、この係合部に、前記中筒に内嵌した肘掛支持杆より突出する係合ピンが選択的に係脱しうるようにし、かつ前記中筒の下端に下向きに突設した弾性係止爪を、肘掛支持筒の下端を閉塞する底壁に設けた係合孔に嵌合係止することにより、前記中筒を肘掛支持筒より抜け止めする。
【０００９】
（２）上記(１)項において、肘掛支持筒の底壁における係合孔に、弾性係止爪の背面に当接して、弾性係止爪の係合孔から外れる方向への弾性撓曲を阻止する差し込み片を嵌合する。
【００１０】
（３）上記(２)項において、差し込み片を、肘掛支持筒の底壁の下面を覆う下部カバーの上面に突設する。
【００１１】
（４）上記(１)〜(３)項のいずれかにおいて、中筒を、ほぼ半円弧状断面の２個の半割片を向き合わせて接合することにより形成するとともに、各半割片の下端両側部より垂下する弾性係止爪の側面同士を互いに突き合わせて、同一の係合孔に嵌合係止させる。
【００１２】
（５）上記(４)項において、各半割片に、上下多段状の複数の係合部をそれぞれ対向するように設け、肘掛支持杆を貫通する係合ピンの各端部が、対応する半割片の複数の係合部に選択的に係脱するようにする。
【００１３】
（６）上記(１)〜(５)項のいずれかにおいて、筒状とした肘掛支持杆の上部に、前部に肘掛支持杆より前方に突出する操作部を有する操作レバーの中間部を枢支するとともに、前記肘掛支持杆内に、中間部に前記肘掛支持杆の前後の内面に内接する膨出部を有し、かつ下端部に、左右方向を向くピン挿入孔が設けられた回動レバーを、前記膨出部を中心として回動可能として嵌合し、前記操作レバーの後端部と回動レバーの上端部とのいずれか一方に、回動レバーを肘掛支持杆の下端より上方に向けて押し入れたとき、前記いずれか他方の部分を受け入れて係合する係合凹部を設け、前記ピン挿入孔に挿入した係合ピンを、前記肘掛支持杆の側面に設けた前後方向の長孔を貫通させて、側方に突出させ、前記係合ピンの端部を、中筒に設けた上下多段状の複数の係合部に選択的に係脱しうるようにし、かつ前記回動レバーを、前記係合ピンがいずれかの係合部に係合する方向に向けて付勢する付勢手段を設ける。
【００１４】
（７）上記(６)項において、操作レバーの中間部に突設した左右方向を向く軸を、肘掛支持杆の上部に設けた上方に開口する凹部に嵌合し、かつ操作レバーの中間部の上面に、肘掛支持杆の上端開口部を閉塞する閉塞部材の下面を当接させることにより、前記軸を、凹部より抜け止めする。
【００１５】
（８）上記(１)〜(７)項のいずれかにおいて、付勢手段を、回動レバーの一部に連設され、かつ先端部が肘掛支持杆の内面に圧接するようにした弾性舌片とする。
【発明の効果】
【００１６】
本発明によると、次のような効果を奏することができる。
請求項１記載の発明によると、肘掛けその他を装着した肘掛支持杆を、中筒に嵌合し、かつ係合ピンを装着した状態で、それらを一体として、肘掛支持筒に上方より挿入するだけで、弾性係止爪が肘掛支持筒の底壁における係合孔に嵌合係止され、中筒が肘掛支持筒より抜け止めされるので、ねじ止め作業等を行うことなく、各部材を簡単かつ確実に組み付けることができ、しかも組付後に、中筒が肘掛支持筒より外れることがない。
【００１７】
請求項２記載の発明によると、肘掛支持筒の底壁における係合孔に、弾性係止爪の背面に当接して、弾性係止爪の係合孔から外れる方向への弾性撓曲を阻止する差し込み片を嵌合してあるので、弾性係止爪が、係合孔から外れるのを防止することができ、ひいては、中筒が肘掛支持筒から外れるのを防止することができる。
【００１８】
請求項３記載の発明によると、差し込み片を、肘掛支持筒の底壁の下面を覆う下部カバーの上面に突設してあるので、差し込み片を係合孔に嵌合し易くなり、また、肘掛支持筒の底壁、特に係合孔の部分が下部カバーにより覆われるので、体裁がよくなる。
【００１９】
請求項４記載の発明によると、肘掛支持杆に係合ピンを装着した状態で、２個の半割片を、肘掛支持杆に、左右から挟むようにして、簡単に装着することができ、組み付け作業性をよくすることができるとともに、両半割片を向き合わせて接合したとき、左右に対向する弾性係止爪の側面同士が互いに接合し、この接合した２個の弾性係止爪を、肘掛支持筒の底壁に設けた係合孔に嵌合係止することにより、中筒は、両半割片が位置ずれすることなく、肘掛支持筒より抜け止めされる。また、肘掛支持筒の底壁に設ける係合孔の数を少なくすることができる。
【００２０】
請求項５記載の発明によると、係合ピンが中筒に対して両持ち支持となるため、左右のバランスがよい。また、肘掛支持杆を貫通させた係合ピンの両端部に、各半割片の係合部が嵌合するようにして、両半割片を、肘掛支持杆に、左右から挟むようにして、簡単に装着することができ、組み付け作業性をよくすることができる。
【００２１】
請求項６記載の発明によると、操作レバーと回動レバーが別体であり、それぞれの回動時のモーメントを小さくすることができ、ロック解除操作時に、過度の力が操作レバーに加わったとしても、モーメントが小さいため、破損や変形のおそれを小さくすることができる。
しかも、従来一体であった操作レバーと回動レバーとを、２部材に分割したとしても、操作レバーを肘掛支持杆に枢着して、位置決めしておき、かつ回動レバーを、肘掛支持杆の下端から上方に向けて差し込むだけで、操作レバーの後端部と回動レバーの上端部とが、係合凹部を介して互いに係合し、簡単に組み立てることができる。
さらに、操作レバーの後端部と回動レバーの上端部とが、係合凹部を介して互いに係合しているので、確実に作動することができ、誤作動のおそれが少ない。
【００２２】
請求項７記載の発明によると、操作レバーと一体とした軸を、肘掛支持杆の上端より凹部に落とし込み、その後、肘掛支持杆の上端開口部を、閉塞部材をもって閉塞するだけで、操作レバーを、肘掛支持杆に簡単に枢着することができ、しかも、操作レバーが、肘掛支持杆から脱落するのを確実に防止することができる。
【００２３】
請求項８記載の発明によると、付勢手段を、回動レバーと一体に、簡単に形成できるため、安価に製造することができるとともに、組み立て作業も簡単となる。
【発明を実施するための最良の形態】
【００２４】
以下、本発明の実施形態を、図面に基づいて説明する。
図１は、本発明の肘掛けの高さ調節装置の第１の実施形態を備える椅子の斜視図、図２は、同じく側面図である。
この椅子は、先端部にキャスタ１が設けられた放射状の５本の脚杆２の中心部に支持された脚柱３と、この脚柱３の上端に設けられた支基４と、この支基４の上方に、支持リンク５を介して支持された座６と、支基４に左右方向を向く軸７をもって枢着され、後傾可能とした背凭れ８と、座６の両側方(片方のみとすることもある)より起立する肘掛装置９とを備えている。
【００２５】
図３〜図８は、肘掛装置９の詳細を示す。
肘掛装置９は、下端部内面に設けたブラケット１０を、座６の側部下面に固着することにより、座６の側方より若干前傾姿勢で起立するようにした肘掛支持筒１１と、この肘掛支持筒１１内面に内接するように嵌合された中筒１２と、肘掛け１３を支持するとともに、中筒１２内に上下方向に摺動可能として嵌合された筒状の肘掛支持杆１４と、肘掛支持筒１１に対する肘掛支持杆１４の高さを調節する高さ調節装置１５とを備えている。
【００２６】
肘掛支持筒１１と中筒１２と肘掛支持杆１４とは、前後方向を向く長軸を、左右方向を向く短軸よりわずかに長くした楕円形断面の筒状としてあるが、断面円弧状その他の形状としてもよい。
【００２７】
中筒１２は、左右に２分割した２個の半割片１２Ａ、１２Ｂを向き合わせて接合することにより形成されている。両半割片１２Ａ、１２Ｂの対向面の４隅部には、正規の位置関係したとき、互いに嵌合するようにした位置決め用の凹部１６と凸部１７とが設けられている。
【００２８】
両半割片１２Ａ、１２Ｂの対向部の下端前後部には、下端部に前後外向きの爪１８ａを有する弾性係止爪１８が垂下するように設けられており、両半割片１２Ａ、１２Ｂを向き合わせて接合したとき、左右に対向する弾性係止爪１８、１８の側面同士が互いに接合し、この接合した２個の弾性係止爪１８、１８を、肘掛支持筒１１の下端を閉塞する底壁１１ａに設けた係合孔１９(図７および図８参照)に嵌合係止することにより、中筒１２は、両半割片１２Ａ、１２Ｂが位置ずれすることなく、肘掛支持筒１１より抜け止めされている。
【００２９】
高さ調節装置１５は、肘掛支持杆１４の上部前面に設けられた切欠き２０を通って前下方に突出する操作部２１ａを有するとともに、後端部に、下向きＵ字状の係合凹部２１ｂを有し、かつ中間部が左右方向を向く軸２１ｃをもって、肘掛支持杆１４の上部に枢着された操作レバー２１と、側面形が上下方向に長いほぼ菱形をなし、中間部を中心に回動可能として、肘掛支持杆１４内に嵌合され、上端部に、操作レバー２１の係合凹部２１ｂに受け入れられて係合する、左右方向を向く軸部２２ａが設けられ、かつ下端部に、肘掛支持杆１４のやや下部の両側壁に設けられた前後方向を向く長孔２３を通って、肘掛支持杆１４を左右方向に貫通する係合ピン２４の中間部が貫通する左右方向を向くピン挿入孔２２ｂが設けられた回動レバー２２と、中筒１２の各半割片１２Ａ、１２Ｂにそれぞれ設けられ、かつ肘掛支持杆１４の両側方に突出する係合ピン２４の各端部が嵌合するようにした係合孔２５とを備えている。
【００３０】
操作レバー２１は、その中間部両側面に突設した軸２１ｃを、肘掛支持杆１４の上端の開口縁に設けた上方に開口する左右１対の凹部２６に上方より嵌合し、かつ操作レバー２１の中間部の上面に、肘掛支持杆１４の上端開口部を閉塞する閉塞部材２７の下面を当接させることにより、軸２１ｃを、凹部２６より抜け止めして、肘掛支持杆１４の上部に簡単に装着しうるようにしてある。
【００３１】
回動レバー２２の上下方向の中間部には、肘掛支持杆１４の前後の内面に内接するとともに、菱形の前後の頂部に相当する部分において、曲率中心が同一の円弧状をなして前後に突出する膨出部２２ｃが設けられ、回動レバー２２は、特別に枢軸を設けることなく、この膨出部２２ｃの曲率中心を中心として、肘掛支持杆１４内において回動しうるようになっている。
【００３２】
各半割片１２Ａ、１２Ｂに設けられた係合孔２５は、中筒１２の軸線方向を向く長孔状の連絡孔２５ａと、その前縁に、前方を向く凹溝状をなして上下多段状に設けられた複数の係合部２５ｂとからなり、肘掛支持杆１４より両側方に突出する係合ピン２４の各端部が、前記連絡孔２５ａに嵌合しているときは、係合ピン２４およびは肘掛支持杆１４は、中筒１２および肘掛支持筒１１に対して、上下方向に自由に移動することができ、係合ピン２４が、いずれかの係合部２５ｂに係合しているときは、係合ピン２４および肘掛支持杆１４の上下方向の移動は阻止されるようになっている。
【００３３】
回動レバー２２の下端部には、後上方を向く弾性舌片２８が一体的に形成されており、この弾性舌片２８の先端部が、肘掛支持杆１４の後部内面に圧接することにより、回動レバー２２は、図８に実線で示すように、係合ピン２４が係合孔２５におけるいずれかの係合部２５ｂに係合する係止位置に向けて常時付勢されている。
すなわち、この弾性舌片２８は、回動レバー２２を、係合ピン２４がいずれかの係合部２５ｂに係合する方向に向けて付勢する付勢手段をなしている。
【００３４】
したがって、図８に実線で示すように、常時は、この付勢手段の作用により、係合ピン２４はいずれかの係合部２５ｂに係合し、肘掛け１３は、その係合部２５ｂに対応する高さに保持され、操作レバー２１は、その操作部２１ａが切欠き２０より前下方に突出する非操作位置に位置している。
【００３５】
この状態から、肘掛け１３の高さを変更したい場合は、まず、操作レバー２１の操作部２１ａを、この弾性舌片２８の付勢力に抗して、非操作位置から、図８に想像線で示すように、上方の操作位置に向かって上向きに回動させる。
すると、操作レバー２１の後部の係合凹部２１ｂが、前方に回動し、それに伴って、係合凹部２１ｂと上端の軸部２２ａが係合している回動レバー２２は、図８に想像線で示すように、反時計回りに回動させられ、係合ピン２４は、係合孔２５の係合部２５ｂから離脱して、連絡孔２５ａ内に嵌合する係止解除位置へ移動させられる。
【００３６】
ついで、操作レバー２１の操作部２１ａを操作位置に保持したままの状態で、肘掛け１３および肘掛支持杆１４を、所望の高さまで上昇または下降させる。
このとき、係合ピン２４は、連絡孔２５ａ内に位置しているので、その連絡孔２５ａ内を自由に上下動することができる。
【００３７】
所望の高さに到達した後、操作レバー２１の操作部２１ａから手を離すか、または操作力を緩めると、弾性舌片２８の付勢力により、回動レバー２２は、元の係止位置に向かって付勢させられ、係合ピン２４は、そのときの最も近い係合部２５ｂに係合させられる。なお、係合ピン２４が、いずれかの係合部２５ｂに適正に係合しないときは、肘掛け１３を若干上下いずれかに移動させればよい。
【００３８】
係合ピン２４がいずれかの係合部２５ｂに適正に係合し、回動レバー２２が係止位置に復帰させられると、それに伴って、操作レバー２１も非操作位置に復帰させられる。
【００３９】
また、この肘掛装置９の組立てに際しては、肘掛支持杆１４に操作レバー２１を装着した後、操作レバー２１を位置決めしておき、かつ回動レバー２２を、肘掛支持杆１４の下端から上方に向けて差し込むだけで、操作レバー２１の後端部と回動レバー２２の上端部とが、係合凹部２１ｂを介して互いに係合するとともに、肘掛支持杆１４の長孔２３と回動レバー２２のピン挿入孔２２ｂとを整合させた状態で、簡単に組み立てることができる。このとき、操作レバー２１は、重心が軸２１ｃより操作部２１ａ寄りに位置するように、操作部２１ａを重く形成しておくことにより、自重で非操作位置に位置決めされ、また、回動レバー２２は、弾性舌片２８を、肘掛支持杆１４の後部内面に圧接させることにより、係止位置に位置決めされるので、操作レバー２１および回動レバー２２のための特別な位置決め手段を設ける必要はない。
【００４０】
この状態で、互いに整合した肘掛支持杆１４の長孔２３と回動レバー２２のピン挿入孔２２ｂとに、係合ピン２４を貫通させた後、その左右両側方より、両半割片１２Ａ、１２Ｂを、互いに向き合わせて、かつ係合ピン２４の両端が予め定めた係合部２５ｂに係合するようにして、肘掛支持杆１４を挟んで接合させ、それらを一体として、肘掛支持筒１１内に上方より挿入し、互いに接合された左右に対応する弾性係止爪１８、１８を、肘掛支持筒１１の底壁１１ａにおける係合孔１９に嵌合係止させることにより、ねじ等を全く使用することなく、肘掛支持筒１１、中筒１２、肘掛支持杆１４、操作レバー２１、回動レバー２２等を、簡単かつ確実に組み立てることができる。
【００４１】
肘掛け１３は、本発明には直接関係しないので、その詳細な説明は省略するが、この例では、図３に示すように、肘掛基板２９と、チルト部材３０と、固定円板３１と、芯材３２と、クッション材３３と、肘掛パッド３４とを、順次積み重ねて、合体させることにより、左右方向に旋回可能で、しかも、左右方向に平行移動もできるような構成としてある。
【００４２】
図９〜図１２は、本発明の第２の実施形態を示す。なお、第１の実施形態におけるのと同一または類似の部材には、同一の符号をもって図示するに止め、それらについての詳細な説明は省略する。
この実施形態においては、肘掛支持筒１１の底壁１１ａにおける前後の係合孔１９に、弾性係止爪１８の背面に当接して、弾性係止爪１８の係合孔１９から外れる方向への弾性撓曲を阻止する差し込み片３５を嵌合してあるので、弾性係止爪１８が、係合孔１９から外れるのを防止することができ、ひいては、中筒１２が肘掛支持筒１１から外れるのを防止できるようにしてある。
【００４３】
また、前後の差し込み片３５を、肘掛支持筒１１の底壁１１ａの下面を覆う下部カバー３６の上面に突設してあるので、差し込み片３５を係合孔１９に嵌合し易くなり、また、肘掛支持筒１１の底壁１１ａ、特に係合孔１９の部分が下部カバー３６により覆われるので、体裁がよくなる。
【００４４】
さらに、この例では、肘掛支持筒１１の底壁１１ａの中央に、円形孔３７を設け、中筒１２における左右の半割片１２Ａ、１２Ｂの下端部に、この円形孔３７の左右の縁に弾性係合するようにした１対の平面視円弧状の弾性係合爪３８、３８を設け、さらに、下部カバー３６の上面中央に、円形孔３７に弾性係合した左右の弾性係合爪３８、３８間に下方より嵌合することにより、両弾性係合爪３８、３８のないほうへの弾性撓曲を阻止する差し込み片３９と、円形孔３７の前後の縁に弾性係合する弾性係合片４０、４０を設けてある。
このような構成を付加することにより、中筒１２が肘掛支持筒１１から外れるのを、より強力に防止することができる。
【００４５】
なお、第１の実施形態においては、操作レバー２１の後端部に、下向きＵ字状の係合凹部２１ｂを設け、これに、回動レバー２２の軸部２２ａが受け入れられて係合するようにしてあるが、操作レバー２１の後端部に、左右方向を向く軸部を設け、回動レバー２２の上端部に、回動レバー２２を肘掛支持杆１４の下端より上方に向けて押し入れたとき、上記軸部を受け入れて係合するようにした上向きＵ字状の係合凹部を設けてもよい。
【図面の簡単な説明】
【００４６】
【図１】本発明の肘掛装置の第１の実施形態を備える椅子の斜視図である。
【図２】同じく、側面図である。
【図３】肘掛装置の分解斜視図である。
【図４】肘掛装置における高さ調節装置の部分の拡大分解斜視図である。
【図５】図４図示の状態から、一部の部材を組み付けた状態を示す分解斜視図である。
【図６】同じく、組立完成状態を示す斜視図である。
【図７】完成した肘掛装置を斜め下方より見た斜視図である。
【図８】同じく、縦断側面図である。
【図９】本発明の肘掛装置の第２の実施形態の下部の縦断側面図である。
【図１０】同じく、下部の縦断正面図である。組立完成状態を示す斜視図である。
【図１１】同じく、下方より見た分解斜視図である。
【図１２】下部カバーを斜め上方より見た斜視図である。
【符号の説明】
【００４７】
１  キャスタ
２  脚杆
３  脚柱
４  支基
５  支持リンク
６  座
７  軸
８  背凭れ
９  肘掛装置
１０  ブラケット
１１  肘掛支持筒
１１ａ底壁
１２  中筒
１２Ａ、１２Ｂ  半割片
１３  肘掛け
１４  肘掛支持杆
１５  高さ調節装置
１６  凹部
１７  凸部
１８  弾性係止爪
１８ａ爪
１９  係合孔
２０  切欠き
２１  操作レバー
２１ａ操作部
２１ｂ係合凹部
２１ｃ軸
２２  回動レバー
２２ａ軸部
２２ｂピン挿入孔
２２ｃ膨出部
２３  長孔
２４  係合ピン
２５  係合孔
２５ａ連絡孔
２５ｂ係合部
２６  凹部
２７  閉塞部材
２８  弾性舌片(付勢手段)
２９  肘掛基板
３０  チルト部材
３１  固定円板
３２  芯材
３３  クッション材
３４  肘掛パッド
３５  差し込み片
３６  下部カバー
３７  円形孔
３８  弾性係合爪
３９  差し込み片
４０  弾性係合片
【図１】
2008194229.tif 000003
【図２】
2008194229.tif 000004
【図３】
2008194229.tif 000005
【図４】
2008194229.tif 000006
【図５】
2008194229.tif 000007
【図６】
2008194229.tif 000008
【図７】
2008194229.tif 000009
【図８】
2008194229.tif 000010
【図９】
2008194229.tif 000011
【図１０】
2008194229.tif 000012
【図１１】
2008194229.tif 000013
【図１２】
2008194229.tif 000014